(57)【要約】      （修正有）【課題】視聴者に特別な手間をかけずに、数多く放送される番組のなかで、視聴者が強い興味をもつ身近な地域の情報を扱う番組を集めた電子番組表情報を生成する。【解決手段】地理的名称と、番組情報に前記地理的名称を含む放送番組とが関連付けられて記憶されている放送番組情報データベース１と、地理的名称の地理的位置の情報が記憶されている地理的名称データベース２と、基点となる位置情報を取得する位置情報取得部３と、前記基点となる位置情報から所定の範囲内にある地理的名称を検索し、前記検索された地理的名称を番組情報に含む放送番組を、放送番組情報データベース１から検索し、前記検索された放送番組及び前記検索された放送番組に対応する地理的名称の情報表示、前記検索された放送番組への選局又は録画予約を行うための電子番組表情報を生成する電子番組表情報生成部４とを有する電子番組表情報生成システムである。【選択図】図１
2014098958.tif 000002
【特許請求の範囲】
【請求項１】
電子番組表情報生成システムであって、
地理的名称と、番組情報に前記地理的名称を含む放送番組とが関連付けられて記憶されている放送番組情報データベースと、
地理的名称の地理的位置の情報が記憶されている地理的名称データベースと、
基点となる位置情報を取得する位置情報取得手段と、
前記地理的名称データベースを参照し、前記基点となる位置情報から所定の範囲内にある地理的名称を検索し、前記検索された地理的名称を番組情報に含む放送番組を、前記放送番組情報データベースから検索し、前記検索された放送番組及び前記検索された放送番組に対応する地理的名称の情報表示、前記検索された放送番組への選局又は録画予約を行うための電子番組表情報を生成する電子番組表情報生成手段と
を有する電子番組表情報生成システム。
【請求項２】
前記放送番組情報データベースは、放送番組と、前記放送番組の番組情報と地理的名称との関連が高いほど高い値となるスコアとが関連付けられて記憶されており、
前記電子番組表情報生成手段は、前記各放送番組に関連付けられたスコアを参考にして電子番組表情報を生成する
請求項１に記載の電子番組表情報生成システム。
【請求項３】
前記電子番組表情報生成手段は、
前記基点となる位置情報から所定の範囲内にある地理的名称を番組情報に含む放送番組に対して、基点となる位置情報からの距離が近い地理的名称を番組情報に含む放送番組ほど高いスコアを付与し、前記各放送番組に付与されたスコアを参考にして電子番組表情報を生成する
請求項１又は請求項２に記載の電子番組表情報生成システム。
【請求項４】
前記スコアは、番組情報に地理的名称として、都道府県名、市区町村名、町域名のいずれかを含む場合、町域名、市区町村名、都道府県名の順番で高い値となる
請求項２又は請求項３に記載の電子番組表情報生成システム。
【請求項５】
前記電子番組表情報生成手段は、
前記放送番組のスコアに応じて、電子番組表における放送番組の表示位置、前記放送番組の番組情報の文字の大きさ、フォント、又は表示色の少なくともひとつを制御する電子番組表情報を生成する
請求項２から請求項４のいずれかに記載の電子番組表情報生成システム。
【請求項６】
前記基点となる位置情報は、郵便番号、緯度経度情報、住所、駅名の少なくともいずれかである
請求項１から請求項５のいずれかに記載の電子番組表情報生成システム。
【請求項７】
前記地理的名称は、住所を構成する地域名称、地点の名称の少なくともひとつである
請求項１から請求項６のいずれかに記載の電子番組表情報生成システム。
【請求項８】
電子番組表情報生成サーバであって、
地理的名称と、番組情報に前記地理的名称を含む放送番組とが関連付けられて記憶されている放送番組情報データベースと、
地理的名称の地理的位置の情報が記憶されている地理的名称データベースと、
受信機から、基点となる位置情報を受信する位置情報受信手段と、
前記地理的名称データベースを参照し、前記基点となる位置情報から所定の範囲内にある地理的名称を検索し、前記検索された地理的名称を番組情報に含む放送番組を、前記放送番組情報データベースから検索し、前記検索された放送番組及び前記検索された放送番組に対応する地理的名称の情報表示、前記検索された放送番組への選局又は録画予約を行うための電子番組表情報を生成する電子番組表情報生成手段と、
前記生成された電子番組表情報を、前記受信機に送信する電子番組表情報送信手段と
を有する電子番組表情報生成サーバ。
【請求項９】
前記放送番組情報データベースは、放送番組と、前記放送番組の番組情報と地理的名称との関連が高いほど高い値となるスコアとが関連付けられて記憶されており、
前記電子番組表情報生成手段は、前記各放送番組に関連付けられたスコアを参考にして電子番組表情報を生成する
請求項８に記載の電子番組表情報生成サーバ。
【請求項１０】
前記電子番組表情報生成手段は、
前記基点となる位置情報から所定の範囲内にある地理的名称を番組情報に含む放送番組に対して、基点となる位置情報からの距離が近い地理的名称を番組情報に含む放送番組ほど高いスコアを付与し、前記各放送番組に付与されたスコアを参考にして電子番組表情報を生成する
請求項８又は請求項９に記載の電子番組表情報生成サーバ。
【請求項１１】
前記スコアは、番組情報に地理的名称として、都道府県名、市区町村名、町域名のいずれかを含む場合、町域名、市区町村名、都道府県名の順番で高い値となる
請求項９又は請求項１０に記載の電子番組表情報生成サーバ。
【請求項１２】
前記電子番組表情報生成手段は、
前記放送番組のスコアに応じて、電子番組表における放送番組の表示位置、前記放送番組の番組情報の文字の大きさ、フォント、又は表示色の少なくともひとつを制御する電子番組表情報を生成する
請求項９から請求項１１のいずれかに記載の電子番組表情報生成サーバ。
【請求項１３】
前記基点となる位置情報は、郵便番号、緯度経度情報、住所、駅名の少なくともいずれかである
請求項８から請求項１２のいずれかに記載の電子番組表情報生成サーバ。
【請求項１４】
前記地理的名称は、住所を構成する地域名称、地点の名称の少なくともひとつである
請求項８から請求項１３のいずれかに記載の電子番組表情報生成サーバ。
【請求項１５】
受信機であって、
地理的名称と、番組情報に前記地理的名称を含む放送番組とが関連付けられて記憶されている放送番組情報データベースと、
地理的名称の地理的位置の情報が記憶されている地理的名称データベースと、
基点となる位置情報を取得する位置情報取得手段と、
前記地理的名称データベースを参照し、前記基点となる位置情報から所定の範囲内にある地理的名称を検索し、前記検索された地理的名称を番組情報に含む放送番組を、前記放送番組情報データベースから検索し、前記検索された放送番組及び前記検索された放送番組に対応する地理的名称の情報表示、前記検索された放送番組への選局又は録画予約を行うための電子番組表情報を生成する電子番組表情報生成手段と、
前記電子番組表情報に基づいて、電子番組表を表示する電子番組表表示制御手段と
を有する受信機。
【請求項１６】
電子番組表情報生成方法であって、
基点となる位置情報を取得し、
地理的名称の地理的位置の情報が記憶されている地理的名称データベースを参照し、前記基点となる位置情報から所定の範囲内にある地理的名称を検索し、
前記検索された地理的名称を番組情報に含む放送番組を、地理的名称と、番組情報に前記地理的名称を含む放送番組とが関連付けられて記憶されている放送番組情報データベースから検索し、
前記検索された放送番組及び前記検索された放送番組に対応する地理的名称の情報表示、前記検索された放送番組への選局又は録画予約を行うための電子番組表情報を生成する
電子番組表情報生成方法。
【請求項１７】
前記放送番組情報データベースは、放送番組と、前記放送番組の番組情報と地理的名称との関連が高いほど高い値となるスコアとが関連付けられて記憶されており、
前記各放送番組に関連付けられたスコアを参考にして電子番組表情報を生成する
請求項１６に記載の電子番組表情報生成方法。
【請求項１８】
前記基点となる位置情報から所定の範囲内にある地理的名称を番組情報に含む放送番組に対して、基点となる位置情報からの距離が近い地理的名称を番組情報に含む放送番組ほど高いスコアを付与し、前記各放送番組に付与されたスコアを参考にして電子番組表情報を生成する
請求項１６又は請求項１７に記載の電子番組表情報生成方法。
【請求項１９】
前記スコアは、番組情報に地理的名称として、都道府県名、市区町村名、町域名のいずれかを含む場合、町域名、市区町村名、都道府県名の順番で高い値となる
請求項１７又は請求項１８に記載の電子番組表情報生成方法。
【請求項２０】
前記放送番組のスコアに応じて、電子番組表における放送番組の表示位置、前記放送番組の番組情報の文字の大きさ、フォント、又は表示色の少なくともひとつを制御する電子番組表情報を生成する
請求項１７から請求項１９のいずれかに記載の電子番組表情報生成方法。
【請求項２１】
前記基点となる位置情報は、郵便番号、緯度経度情報、住所、駅名の少なくともいずれかである
請求項１６から請求項２０のいずれかに記載の電子番組表情報生成方法。
【請求項２２】
前記地理的名称は、住所を構成する地域名称、地点の名称の少なくともひとつである
請求項１６から請求項２１のいずれかに記載の電子番組表情報生成方法。
【請求項２３】
基点となる位置情報を受信する処理と、
地理的名称の地理的位置の情報が記憶されている地理的名称データベースを参照し、前記基点となる位置情報から所定の範囲内にある地理的名称を検索する処理と、
前記検索された地理的名称を番組情報に含む放送番組を、地理的名称と、番組情報に前記地理的名称を含む放送番組とが関連付けられて記憶されている放送番組情報データベースから検索する処理と、
前記検索された放送番組及び前記検索された放送番組に対応する地理的名称の情報表示、前記検索された放送番組への選局又は録画予約を行うための電子番組表情報を生成する処理と、
前記生成された電子番組表情報を送信する処理と
をコンピュータに実行させるプログラム。
【請求項２４】
基点となる位置情報を取得する処理と、
地理的名称の地理的位置の情報が記憶されている地理的名称データベースを参照し、前記基点となる位置情報から所定の範囲内にある地理的名称を検索する処理と、
前記検索された地理的名称を番組情報に含む放送番組を、地理的名称と、番組情報に前記地理的名称を含む放送番組とが関連付けられて記憶されている放送番組情報データベースから検索する処理と、
前記検索された放送番組及び前記検索された放送番組に対応する地理的名称の情報表示、前記検索された放送番組への選局又は録画予約を行うための電子番組表情報を生成する処理と、
前記電子番組表情報に基づいて、電子番組表を表示する処理と
をコンピュータに実行させるプログラム。
【発明の詳細な説明】
【技術分野】
【０００１】
本発明は、電子番組表情報生成システム、電子番組表情報生成サーバ、受信機、電子番組表情報生成方法及びプログラムに関するものである。
【背景技術】
【０００２】
テレビ受像機能を有する装置、例えば、テレビ受像機、テレビ録画再生機、テレビの受像機能や録画再生機能を有するパーソナルコンピュータ等は、放送が予定されているテレビ番組に関する情報を表にしたテレビ番組表を表示する機能を有している。このテレビ番組表は、電子番組表（Electronic Program Guide）として放送波やネットワークを介してテレビ受像機能を有する装置に伝送され表示される。この電子番組表においては、放送中又はこれから放送される数日分の番組が、放送チャンネルごとに時間を軸として放送予定順に並べられて表示される。
【０００３】
しかし、放送局１局でも、数日（例えば８日）のうちに放送される番組は２００に及ぶことがあり、視聴者が全ての番組の内容を把握するのは困難である。また、直近に放送される番組が必ず上位に配置されるため、それ以降に放送される番組の予定を確認するには、リモコン等を何度も操作して画面を切り替えなければならない。その結果、視聴者が本当に見たいと思う番組が目立たない位置に配置されていることも多く、需要と供給のミスマッチが多発する。
【０００４】
そこで、上述のような電子番組表の情報を利用し、ユーザに推薦すべき番組を検索して提示する技術がある（例えば、特許文献１）。この技術は、ユーザの閲覧したウェブサイトの内容を解析し、従来の電子番組表からそのユーザに推薦すべき番組を検索して提示する技術である。具体的には、ＨＴＭＬタグの種別やＷＥＢページ内の出現頻度に応じてキーワードを重み付け、キーワードに一致する番組を検索して提示する技術である。
【０００５】
また、受信側に属性を登録し、センター側から番組を送る際に属性を付加して送り、番組の放送において受信端末を選別できる放送システムの技術がある（例えば、特許文献２）。この技術は、受信側に視聴者の属性またはサービス内容の属性を登録しておく一方、センター側からは、放送する番組に、番組を送りたい視聴者のグループの条件として属性を指定して番組を放送するか、または放送する番組に、番組のサービス内容属性をサービス付加情報として記述し、番組を放送する。
【先行技術文献】
【特許文献】
【０００６】
【特許文献１】特開２００９−１８１５０３号公報
【特許文献２】特開平１０−０７５２１９号公報
【発明の概要】
【発明が解決しようとする課題】
【０００７】
上述した特許文献１、２の技術は、視聴者の属性に着目し、視聴者の属性に合致した番組を提供することができ、視聴者はある程度、興味のある番組の情報を得ることができる。
【０００８】
一方で、視聴者の属性も種々のものがあり、視聴者の興味も多種多様であるが、視聴者の身近な場所、特に、視聴者が住んでいる町や、いつも利用している駅又は路線などを紹介した番組、または視聴者の身近な場所で起きた事件、事故、地域社会の問題等を扱った番組などを視聴したくなるのは、経験的に体験していることである。
【０００９】
しかしながら、特許文献１の技術は、視聴者の住居の位置や、最寄りの駅やランドマーク等の属性に特化したものでなく、視聴者が、それらの位置や地理的名称をウェブサイトで閲覧しない限り、視聴者の住居付近、最寄りの駅やランドマーク等を扱う番組に関する情報を提示することはできない。
【００１０】
また、特許文献２の技術は、視聴者が身近な地域を扱う番組の情報を得るためには、その地域に存在する具体的な地理的名称を登録しなければならない。それら地理的名称は、視聴者の住所のほかにも多種多様に存在し、それら地理的名称を全て登録することは現実的ではない。
【００１１】
更に、特許文献１、２の技術が共通していえることは、検索又は登録した地理的名称等と同一の名称を番組情報に含む番組しか得られないということである。例えば、視聴者が、視聴者の自宅の住所を検索又は登録した場合、特許文献１、２の技術では、その自宅の住所にのみに関連する番組しか取得することができず、視聴者の自宅の住所から近隣（所定の範囲内）にある駅やランドマーク等に関する番組は取得することはできなかった。
【００１２】
そこで、本発明は上記課題に鑑みて発明されたものであって、その目的は、視聴者に特別な手間をかけずに、数多く放送される番組のなかで、視聴者が強い興味をもつ身近な地域の情報を扱う番組を集めた電子番組表情報を生成することができる電子番組表情報生成システム、電子番組表情報生成サーバ、受信機、電子番組表情報生成方法及びプログラムを提供することにある。
【課題を解決するための手段】
【００１３】
本発明は、電子番組表情報生成システムであって、地理的名称と、番組情報に前記地理的名称を含む放送番組とが関連付けられて記憶されている放送番組情報データベースと、地理的名称の地理的位置の情報が記憶されている地理的名称データベースと、基点となる位置情報を取得する位置情報取得手段と、前記地理的名称データベースを参照し、前記基点となる位置情報から所定の範囲内にある地理的名称を検索し、前記検索された地理的名称を番組情報に含む放送番組を、前記放送番組情報データベースから検索し、前記検索された放送番組及び前記検索された放送番組に対応する地理的名称の情報表示、前記検索された放送番組への選局又は録画予約を行うための電子番組表情報を生成する電子番組表情報生成手段とを有する電子番組表情報生成システムである。
【００１４】
本発明は、電子番組表情報生成サーバであって、地理的名称と、番組情報に前記地理的名称を含む放送番組とが関連付けられて記憶されている放送番組情報データベースと、
地理的名称の地理的位置の情報が記憶されている地理的名称データベースと、受信機から、基点となる位置情報を受信する位置情報受信手段と、前記地理的名称データベースを参照し、前記基点となる位置情報から所定の範囲内にある地理的名称を検索し、前記検索された地理的名称を番組情報に含む放送番組を、前記放送番組情報データベースから検索し、前記検索された放送番組及び前記検索された放送番組に対応する地理的名称の情報表示、前記検索された放送番組への選局又は録画予約を行うための電子番組表情報を生成する電子番組表情報生成手段と、前記生成された電子番組表情報を、前記受信機に送信する電子番組表情報送信手段とを有する電子番組表情報生成サーバである。
【００１５】
本発明は、受信機であって、地理的名称と、番組情報に前記地理的名称を含む放送番組とが関連付けられて記憶されている放送番組情報データベースと、地理的名称の地理的位置の情報が記憶されている地理的名称データベースと、基点となる位置情報を取得する位置情報取得手段と、前記地理的名称データベースを参照し、前記基点となる位置情報から所定の範囲内にある地理的名称を検索し、前記検索された地理的名称を番組情報に含む放送番組を、前記放送番組情報データベースから検索し、前記検索された放送番組及び前記検索された放送番組に対応する地理的名称の情報表示、前記検索された放送番組への選局又は録画予約を行うための電子番組表情報を生成する電子番組表情報生成手段と、前記電子番組表情報に基づいて、電子番組表を表示する電子番組表表示制御手段とを有する受信機である。
【００１６】
本発明は、電子番組表情報生成方法であって、基点となる位置情報を取得し、地理的名称の地理的位置の情報が記憶されている地理的名称データベースを参照し、前記基点となる位置情報から所定の範囲内にある地理的名称を検索し、前記検索された地理的名称を番組情報に含む放送番組を、地理的名称と、番組情報に前記地理的名称を含む放送番組とが関連付けられて記憶されている放送番組情報データベースから検索し、前記検索された放送番組及び前記検索された放送番組に対応する地理的名称の情報表示、前記検索された放送番組への選局又は録画予約を行うための電子番組表情報を生成する電子番組表情報生成方法である。
【００１７】
本発明は、基点となる位置情報を受信する処理と、地理的名称の地理的位置の情報が記憶されている地理的名称データベースを参照し、前記基点となる位置情報から所定の範囲内にある地理的名称を検索する処理と、前記検索された地理的名称を番組情報に含む放送番組を、地理的名称と、番組情報に前記地理的名称を含む放送番組とが関連付けられて記憶されている放送番組情報データベースから検索する処理と、前記検索された放送番組及び前記検索された放送番組に対応する地理的名称の情報表示、前記検索された放送番組への選局又は録画予約を行うための電子番組表情報を生成する処理と、前記生成された電子番組表情報を送信する処理とをコンピュータに実行させるプログラムである。
【００１８】
本発明は、基点となる位置情報を取得する処理と、地理的名称の地理的位置の情報が記憶されている地理的名称データベースを参照し、前記基点となる位置情報から所定の範囲内にある地理的名称を検索する処理と、前記検索された地理的名称を番組情報に含む放送番組を、地理的名称と、番組情報に前記地理的名称を含む放送番組とが関連付けられて記憶されている放送番組情報データベースから検索する処理と、前記検索された放送番組及び前記検索された放送番組に対応する地理的名称の情報表示、前記検索された放送番組への選局又は録画予約を行うための電子番組表情報を生成する処理と、前記電子番組表情報に基づいて、電子番組表を表示する処理とをコンピュータに実行させるプログラムである。
【発明の効果】
【００１９】
本発明は、数多く放送される番組のなかで、視聴者に特別な手間をかけずに、視聴者が強い興味をもつ身近な地域の情報を扱う番組を集めた電子番組表情報を生成することができる。
【図面の簡単な説明】
【００２０】
【図１】図１は第１の実施の形態にかかる電子番組表情報生成システムのブロック図である。
【図２】図２は放送番組情報データベース１の一例を示した図である。
【図３】図３は地理的名称データベース２の一例を示した図である。
【図４】図４は第１の実施の形態の電子番組表情報生成部４の動作フローチャートである。
【図５】図５は電子番組表情報生成部４で生成された電子番組表情報に基づいて、テレビ受信機に表示される電子番組表の一例を示した図である。
【図６】図６は第２の実施の形態にかかる電子番組表情報生成システムのブロック図である。
【図７】図７は第３の実施の形態にかかる電子番組表情報生成システムのブロック図である。
【図８】図８は第２の実施の形態の電子番組表情報生成部４の動作フローチャートである。
【図９】図９はスコア付与の一例を説明する為の図である。
【図１０】図１０はスコア付与の一例を説明する為の図である。
【図１１】図１１は実施例１のブロック図である。
【図１２】図１２は実施例２のブロック図である。
【発明を実施するための形態】
【００２１】
＜第１の実施の形態＞
本発明の第１の実施の形態を説明する。
【００２２】
図１は第１の実施の形態にかかる電子番組表情報生成システムのブロック図である。
【００２３】
本実施の形態の電子番組表情報生成システムは、放送番組情報データベース１と、地理的名称データベース２と、基点となる位置情報を取得する位置情報取得部３と、電子番組表情報生成部４とを有する。
【００２４】
まず、本実施の形態で用いられる用語について説明する。
【００２５】
位置情報とは、電子番組表を生成するにあたって基点となる位置情報であるが、その基点は地理的に１点のみを指す場合のみならず、ある一定の範囲を持っても良い。基点となる位置情報の例としては、テレビ受信機の設置されている場所を示す情報であり、例えば、郵便番号、緯度経度情報、住所等である。また、基点となる位置情報は、テレビ受信機の設置されている場所を示す情報のみならず、例えば、視聴者が居住している地域の駅名やランドマークの名称等でも良いし、通勤又は通学している地域の駅名等でも良い。
【００２６】
地理的名称とは、行政区画（例えば、都道府県名、市区町村名等）および町域名等の住所を構成する名称に限られず、旧地名、旧国名、河川・山岳・湖沼等の名称、海域名その他の地理的名称を広く含む。また、駅名やランドマークの名称等のある地点の名称も含む。
【００２７】
次に、電子番組表情報生成システムの各部を説明する。
【００２８】
放送番組情報データベース１は、地理的名称と、番組情報に地理的名称を含む放送番組とが関連付けられて記憶されているデータベースである。図２は、放送番組情報データベース１の一例を示した図である。図２に示した放送番組情報データベース１では、放送番組の番組IDと番組情報とが関連付けられた番組IDデータベース１１と、地理的名称と番組IDとが関連付けられた地理的名称番組IDデータベース１２とを有している。
【００２９】
番組IDデータベース１１は、番組IDと、番組名、放送日時、番組の概要等とが関連付けられて記憶されており、時間の経過とともに更新される。番組IDは、出演者や主題歌、番組内の各コーナーの情報、番組の権利者情報など、他の情報とも広く関連付けられる場合もあるし、地理的名称そのものと関連付けられる場合もある。尚、番組IDデータベース１１の各番組は、必ずしも番組情報に地理的名称を含む放送番組とは限られない。例えば、番組IDが「H」及び「K」の番組には地理的名称は含まれない。
【００３０】
地理的名称番組IDデータベース１２は、地理的名称と、その区分（例えば、町域）、番組ID、スコアとが関連付けられて記憶されており、番組IDデータベース１１の更新にともなって更新される。尚、図２の例で番組IDの「F」が地理的名称の「押上」と「東京スカイツリー」の双方と関連付けられているように、番組IDは複数の地理的名称と関連付けられる場合がある。
【００３１】
ここで、各放送番組に付されているスコアは、その放送番組の番組情報と地理的名称との関連が高いほど高い値となるように付与されている。例えば、都道府県よりも市区町村、市区町村よりも町域のように、地理的名称の区分が住所を構成する名称としてより狭い範囲を示すほど、高いスコアが付与されている。図２に示す例では、町域である「押上」と関連付けられた番組IDが「C」、「A」及び「F」の番組は、市区町村である「墨田」と関連付けられた番組IDが「B」の番組よりもスコアが高い。同様に、市区町村である「墨田」と関連付けられた番組IDが「B」の番組は、都道府県である「東京」と関連付けられた番組IDが「D」の番組よりもスコアが高い。これは、地理的名称の区分が住所を構成する名称としてより狭い範囲を示す番組ほど、より視聴者に身近な地域を扱う番組と考えられるからである。
【００３２】
また、それらの地理的名称が、番組IDデータベース１１の番組名やその番組の概要の文章中に多く出現するほど、より高いスコアがその番組に付与されている。図２に示す例では、番組IDが「C」の番組は、町域である「押上」が番組名「ぶらりと〜押上歩き」に１回と、概要「…押上に出動。話題の押上コロッケを食べて…」に２回の合計３回出現している。一方、番組IDが「A」の番組は、同じ町域である「押上」が概要「…芸能人が地元を案内！押上の人気焼肉店…」に１回のみ出現する。そのため、「押上」の出現回数が多い番組IDが「C」の番組のスコアの方が、番組IDが「A」の番組のスコアよりも高い。これは、番組名やその番組の概要の文章中に、地理的名称が多く出現するほど、その地理的名称の地域やランドマーク等のことを多く扱う番組と考えられるからである。
【００３３】
尚、スコアの付与は、番組IDデータベース１１における放送番組の番組名や概要などを形態素解析等により分析して、地理的名称を含む番組を選択し、地理的名称の区分などに基づいて自動的にスコアを付与しても良い。また、人手によっても良い。
【００３４】
また、図２の放送番組情報データベース１の例では、放送されるチャンネルが１つの場合を示したが、放送されるチャンネルが複数の場合の放送番組情報データベース１を持つようにしても良い。
【００３５】
また、本実施の形態では、放送番組情報データベース１を、番組IDデータベース１１と地理的名称番組IDデータベース１２とから構成したが、これに限られない。
【００３６】
地理的名称データベース２は、地理的名称の地理的位置の情報が記憶されているデータベースである。図３は地理的名称データベース２の一例を示した図である。図３の例では、地理的名称データベース２は、郵便番号地理的名称データベース２１と、駅地理的名称データベース２２と、ランドマーク地理的名称データベース２３とから構成されている。
【００３７】
郵便番号地理的名称データベース２１は、郵便番号と、この郵便番号の住所を構成する都道府県名、市区町村名、町域と、緯度経度とが関連付けられている。
【００３８】
駅地理的名称データベース２２は、駅名と、その路線と、緯度経度とが関連付けられている。
【００３９】
ランドマーク地理的名称データベース２３は、ランドマーク（建物や、山、川等）の名称と、緯度経度とが関連付けられている。
【００４０】
尚、本実施の形態では、地理的名称データベース２を、郵便番号地理的名称データベース２１と、駅地理的名称データベース２２と、ランドマーク地理的名称データベース２３とから構成したが、これに限られない。
【００４１】
位置情報取得部３は、基点となる位置情報を取得するものである。取得する位置情報は、上述したように、郵便番号、緯度経度情報、住所等である。尚、これらの位置情報は、受信機より自動的に取得するようにしても良いし、視聴者がリモコン等によって入力するようにしても良い。
【００４２】
電子番組表情報生成部４は、地理的名称データベース２を参照し、基点となる位置情報から所定の範囲内にある地理的名称を検索し、検索された地理的名称を番組情報に含む放送番組を、放送番組情報データベース１から検索し、検索された放送番組及び検索された放送番組に対応する地理的名称の情報表示、検索された放送番組への選局又は録画予約を行うための電子番組表情報を生成する。以下、図４のフローチャートを用いて、電子番組表情報生成部４の動作を説明する。
【００４３】
電子番組表情報生成部４は、位置情報取得部３から位置情報を受信して取得する（Ｓｔｅｐ  １００）。
【００４４】
次に、電子番組表情報生成部４は、地理的名称データベース２を参照し、位置情報取得部３により取得した位置情報から所定の範囲内にある地理的名称を検索する（Ｓｔｅｐ  １０１）。例えば、位置情報が郵便番号である場合、取得した郵便番号に対応する住所及び緯度経度を、地理的名称データベース２から取得する。図３の例で説明すると、郵便番号が「131-0045」である場合、郵便番号地理的名称データベース２１によると、郵便番号が「131-0045」の住所を構成する都道府県名、市区町村名、町域は、「東京」、「墨田」、「押上」であり、その緯度は「35.711831」、経度は「139.815441」である。そこで、電子番組表情報生成部４は、取得した位置情報から所定の範囲内にある地理的名称として、「131-0045」の住所を構成する「東京都」、「墨田」、「押上」を取得する。また、郵便番号地理的名称データベース２１、駅地理的名称データベース２２及びランドマーク地理的名称データベース２３を参照し、「131-0045」の緯度「35.711831」及び経度「139.815441」の地点を中心として所定の範囲内（例えば、半径４km）にある駅「浅草」、ランドマーク「東京スカイツリー」を、取得した位置情報から所定の範囲内にある地理的名称として取得する。
【００４５】
続いて、電子番組表情報生成部４は、取得した地理的名称からひとつの地理的名称を選択し、選択した地理的名称を番組情報に含む放送番組を、放送番組情報データベース１から検索する（Ｓｔｅｐ  １０２）。そして、取得した地理的名称の全てについて、Ｓｔｅｐ  １０２の処理が行われたかを判断し、取得した地理的名称の全てについて、Ｓｔｅｐ  １０２の処理を行う（Ｓｔｅｐ  １０３）。上記の例では、取得した地理的名称は、「東京」、「墨田」、「押上」、「浅草」、「東京スカイツリー」である。これらの「東京」、「墨田」、「押上」、「浅草」、「東京スカイツリー」の地理的名称をひとつずつ選択し、選択された地理的名称を番組情報に含む放送番組を、放送番組情報データベース１から検索する。図２の地理的名称番組IDデータベース１２の例では、「東京」に対して番組ID「D」、「墨田」に対して番組ID「B」、「押上」に対して番組ID「C」、「A」及び「F」、「浅草」に対して番組ID「I」、「東京スカイツリー」に対して番組ID「F」の放送番組が検索され、それらの放送番組が選択される。
【００４６】
尚、選択された地理的名称の全てではなく、その一部のみを番組情報に含む放送番組も選択するようにしても良い。例えば、ランドマークとして「東京スカイツリー」という地理的名称があった場合、その一部の「スカイツリー」のみを番組情報に含む放送番組を選択するようにしても良い。また、その地理的名称を省略して表記した省略表記を番組情報に含む放送番組も選択するようにしても良い。それらの場合、選択された放送番組の「スコア」に対して、その値を増減させるようにさらに構成しても良い。
【００４７】
そして、選択された各放送番組への選局又は録画予約を行うための電子番組表情報を生成する（Ｓｔｅｐ  １０４）。
【００４８】
ここで、電子番組表情報生成部４は、選択した放送番組のスコアに応じて、電子番組表における放送番組の表示位置や、放送番組の番組情報の文字の大きさ、フォント、又は表示色等を決定する。例えば、放送番組のスコアが高いほど、放送番組の番組情報が上位に表示されるように、電子番組表情報を生成する。尚、各放送番組の表示位置について、対応する地理的名称の緯度・経度等によって決定し、各放送番組を地図上に配置するようにしても良い。
【００４９】
図５に、電子番組表情報生成部４で生成された電子番組表情報に基づいて、テレビ受信機に表示される電子番組表の一例を示す。図５の例では、取得した地理的名称「東京」、「墨田」、「押上」、「浅草」、「東京スカイツリー」毎に、選択された放送番組が表示されている。この例では、選択された全ての放送番組のスコアのうち、最も高いスコアを有する放送番組（番組IDが「C」、スコアが「９５」）と対応付けられた「押上」を上位に配置し、「押上」と対応付けられた番組ID「C」、「A」及び「F」の放送番組をスコアが高いほど上位に表示している。尚、番組IDが「A」と「F」の放送番組のスコアは同一だが、この場合は放送時間の近い順に表示している。次にスコアの高い放送番組（番組IDが「F」、スコアが「９０」）と対応付けられた「東京スカイツリー」を「押上」の次に配置している。
【００５０】
尚、本実施の形態では、番組IDデータベース１１において、各番組について、その放送番組の番組情報と地理的名称との関連を示すスコアを付与し、スコアに応じて、電子番組表における放送番組の表示位置や、放送番組の番組情報の文字の大きさ、フォント、又は表示色等を決定した。しかし、基点となる位置情報から所定の範囲内にある地理的名称を番組情報に含む放送番組を単に表示するだけならば、番組のスコアは不要である。但し、視聴者の利便を考慮すると、各番組にスコアを付与し、電子番組表における放送番組の表示位置や、放送番組の番組情報の文字の大きさ、フォント、又は表示色等を決定することが好ましい。
【００５１】
また、上述した実施の形態では、１チャンネル（放送局）の放送番組の例を説明したが、複数のチャンネル（放送局）の放送番組を扱うようにしても良い。この場合、放送番組情報データベース１は複数のチャンネル（放送局）の情報が含まれるようにすればよい。更に、複数のチャンネル（放送局）のうち所望のチャンネル（放送局）の番組、例えば、最後に視聴したチャンネル（放送局）や視聴者が良く視聴しているチャンネル（放送局）の放送番組を優先的に選択するようにしても良いし、視聴者が自ら希望のチャンネル（放送局）の放送番組のみを選択するように指定しても良い。
【００５２】
以上の如く、本実施の形態によれば、視聴者に身近な地域の番組を集めた電子番組表を提供することができる。視聴者は身近な地域の情報に強い興味をもつが、数多く放送される番組のなかからそのような情報を扱う番組を探すのには多くの手間を要していた。しかし、本実施の形態によれば、視聴者は、強い興味をもつような身近な地域の番組について、特別な手間をかけずに簡単に知ることができる。
【００５３】
＜第２の実施の形態＞
本発明の第２の実施の形態を説明する。
【００５４】
図６は第２の実施の形態にかかる電子番組表情報生成システムのブロック図である。
【００５５】
第２の実施の形態にかかる電子番組表情報生成システムは、第１の実施の形態に加えて、放送番組情報データベース生成部５を有する。
【００５６】
放送番組情報データベース生成部５は、時間の経過とともに更新される番組情報から、放送番組情報データベース１を更新又は生成するものである。放送番組情報データベース生成部５は、地理的名称データベース２を参照し、番組IDデータベース１１の放送番組の番組名や概要等のテキストを形態素解析等により分析し、それらのテキストから地理的名称を抽出する。そして、抽出した地理的名称と、その地理的名称の区分（例えば、町域）と、その地理的名称を抽出した番組IDとを関連付けて地理的名称番組IDデータベース１２に登録する。その際、抽出した地理的名称が番組の番組名や概要等のテキスト中に現れる回数等を参酌し、その放送番組にスコアを付与し、その番組IDの地理的名称番組IDデータベース１２に登録する。尚、地理的名称の全部ではなく、その一部のみを番組名や概要などに含む放送番組についても、地理的名称番組IDデータベース１２に登録するようにしても良い。その際は、付与するスコアを変更するようにしても良い。
【００５７】
ここで、番組情報が時間の経過とともに更新されるのに加えて、市町村合併等や住所表示の変更、ランドマークとなる建物の建設などの理由により、地理的名称データベース２が更新される場合もある。その場合、地理的名称データベース２の更新時に、放送番組情報データベース生成部５は、更新された地理的名称データベース２を参照し、放送番組情報データベース１を更新又は生成しても良い。
【００５８】
第２の実施の形態では、時間の経過とともに更新される番組情報から、自動的に放送番組情報データベース１を更新又は生成することができるという効果がある。視聴者は、身近な地域の番組が集められた最新の電子番組表を閲覧することができ、手間をかけずに興味のある番組を視聴または録画ができる。
【００５９】
＜第３の実施の形態＞
本発明の第３の実施の形態を説明する。
【００６０】
図７は第３の実施の形態にかかる電子番組表情報生成システムのブロック図である。
【００６１】
第３の実施の形態にかかる電子番組表情報生成システムは、第１の実施の形態に加えて、電子番組表情報生成部４が放送番組スコア付与部６を有する。
【００６２】
放送番組スコア付与部６は、電子番組表情報生成部４により選択された地理的名称を含む放送番組に付与されているスコアに対して、更に、スコアを付与するものである。従って、電子番組表情報を生成する処理としては、図８の電子番組表情報生成部４の動作フローチャートに示される通り、図４の電子番組表情報生成部４の動作フローチャートに、放送番組のスコアに対して追加のスコアを付与する処理（Ｓｔｅｐ  ２００）が追加される。
【００６３】
スコアの付与の方法としては、選択された放送番組に関連付けられた地理的名称の地点と、位置情報取得部３により取得した位置情報で特定される基点との距離が近いほど、その放送番組に高いスコアを付与する方法がある。
【００６４】
図９にスコア付与の一例を説明する為の図を示す。図９は、取得した位置情報が郵便番号「142-0051」であり、基点となる位置情報（東京都品川区平塚）の緯度「35.616942」及び経度「139.714766」である場合の例を示している。地理的名称データベース２を参照し、この地点を中心として所定の範囲内（例えば、半径４km）にある地理的名称を選択するが、図３の例においては、都道府県の「東京」、市区町村の「品川」と「目黒」、町域の「平塚」と「中目黒」、ランドマークの「恵比寿ガーデンプレイス」と「戸越銀座商店街」が選択される。
【００６５】
続いて、放送番組情報データベース１を参照し、選択された地理的名称を番組情報として含む放送番組が選択されるが、図２の例においては、「東京」に対して番組IDが「D」の番組が、「中目黒」に対して番組IDが「E」の番組、「恵比寿ガーデンプレイス」に対して番組IDが「G」の番組、「戸越銀座商店街」に対して番組IDが「J」の番組が選択される。
【００６６】
ここで、基点となる位置情報の緯度「35.616942」及び経度「139.714766」から「戸越銀座商店街」までの距離は、「戸越銀座商店街」に対応する緯度が「35.615329」、経度が「139.717356」であることから、「0.3km」と計算される。同様に計算すると、基点となる位置情報から「中目黒」までの距離は「2.6km」、「恵比寿ガーデンプレイス」までの距離は「2.8km」となる。図９にはそれぞれの距離が示されている。尚、地理的名称「東京」の示す範囲は、所定の範囲内（この場合の例では半径４km）よりも十分に広いので、距離の算出の対象にはしない。
【００６７】
放送番組スコア付与部６は、選択された番組IDに関連付けられている地理的名称の緯度及び経度で特定される地点と基点となる位置情報との距離を計測し、その計測した距離に応じて、その地理的名称に関連付けられている放送番組のスコアに対して更にスコアを追加する。
【００６８】
図１０は、スコア付与の一例を説明する為の別の図を示す。電子番組表情報生成部４により選択された地理的名称を含む放送番組のスコアは、「東京」に対する番組ID「D」のスコアが「２５」、「中目黒」に対する番組ID「E」のスコアが「７５」、「恵比寿ガーデンプレイス」に対する番組ID「G」のスコアが「９０」で、「戸越銀座商店街」に対する番組ID「J」のスコアが「９０」である。また、図９に示すように、基点となる位置情報までの距離は、「中目黒」までの距離が2.6km、「恵比寿ガーデンプレイス」までの距離が2.8km、「戸越銀座商店街」までの距離は0.3kmである。上述したように「東京」は距離の算出の対象にしない。
【００６９】
ここで、追加するスコアを、基点からの距離が0から1.0km未満の場合には「５０」とし、基点からの距離が1.0km以上から3.0km未満の場合には「２０」とし、基点からの距離が3.0km以上の場合には「１０」とする。
【００７０】
そうすると、図１０に示すように、番組ID「E」に対して追加されるスコアは、距離が2.6kmであるので、「２０」であり、番組ID「E」の合計スコアは、「９５（＝７５＋２０）」となる。また、番組ID「G」に対して追加されるスコアは、距離が2.8kmであるので、「２０」であり、番組ID「G」の合計スコアは、「１１０（＝９０＋２０）」となる。また、番組ID「J」に対して追加されるスコアは、距離が0.3kmであるので、「５０」であり、番組ID「J」の合計スコアは、「１４０（＝９０＋５０）」となる。
【００７１】
このように、スコアが同じであった番組ID「G」と番組ID「J」とは、取得した基点となる位置情報からの距離に応じてスコアが追加され、その合計スコアは距離に応じてスコアの差が異なるようになる。
【００７２】
そして、電子番組表情報生成部４は、その合計値のスコアに応じて、電子番組表における放送番組の表示位置や、放送番組の番組情報の文字の大きさ、フォント、又は表示色等を決定する。
【００７３】
第３の実施の形態では、電子番組表情報の生成に際して、取得した位置情報から地理的名称の地点までの距離が考慮されるので、視聴者により身近な地域の放送番組が目立つように表示されるという効果がある。
【実施例１】
【００７４】
上述した実施の形態の具体的な実施例１を説明する。
【００７５】
図１１は実施例１のブロック図である。
【００７６】
図１１中、１００は電子番組表情報生成サーバ、２００はテレビ受信機、３００は放送局である。電子番組表情報生成サーバ１００は、放送番組情報データベース１と、地理的名称データベース２と、電子番組表情報生成部４と、放送番組情報データベース生成部５とを有する。テレビ受信機２００は、位置情報取得部３と、電子番組表情報表示制御部２１０と、表示部２２０とを有する。尚、上述した実施の形態と同様な構成のものについては同じ符号を付した。
【００７７】
実施例１の動作を説明する。
【００７８】
まず、テレビ受信機２００の位置情報取得部３は、基点となる位置情報を取得する。取得する位置情報は、上述したように、郵便番号、緯度経度情報、住所等である。尚、これらの位置情報は、受信機より自動的に取得するようにしても良いし、視聴者がリモコン等によって入力するようにしても良い。取得した位置情報は、電子番組表情報生成サーバ１００に送信される。
【００７９】
電子番組表情報生成サーバ１００は、放送又は通信を介して、番組情報を取得する。そして、放送番組情報データベース生成部５は、取得した番組情報から、地理的名称データベース２を参照して、放送番組情報データベース１を更新又は生成する。
【００８０】
電子番組表情報生成サーバ１００の電子番組表情報生成部４は、テレビ受信機２００から位置情報を受信する。尚、本実施例では、電子番組表情報生成部４が位置情報を受信する構成としたが、位置情報を受信する位置情報受信手段を別途設けても良い。電子番組表情報生成部４は、地理的名称データベース２を参照し、テレビ受信機２００の位置情報取得部３から受信した位置情報から所定の範囲内にある地理的名称を検索する。そして、電子番組表情報生成部４は、取得した地理的名称を番組情報に含む放送番組を、放送番組情報データベース１から検索する。
【００８１】
次に、電子番組表情報生成部４の放送番組スコア付与部６は、検索された地理的名称を含む放送番組に付与されているスコアに対して、更に、スコアを付与する。
【００８２】
最後に、電子番組表情報生成部４は、選択した放送番組のスコアに応じて、電子番組表における放送番組の表示位置や、放送番組の番組情報の文字の大きさ、フォント、又は表示色等を決定し、電子番組表情報を生成する。そして、生成した電子番組表情報をテレビ受信機２００に送信する。尚、本実施例では、電子番組表情報生成部４が電子番組表情報をテレビ受信機２００に送信する構成としたが、電子番組表情報をテレビ受信機２００に送信する電子番組表情報送信手段を別途設けても良い。
【００８３】
テレビ受信機２００の電子番組表情報表示制御部２１０は、電子番組表情報を受信し、電子番組表情報に基づいて、表示部２２０に電子番組表を表示する。そして、視聴者は、表示された電子番組表から希望する放送番組を選択して、放送局３００からその放送番組を受信して視聴、又は、録画予約を行う。尚、放送番組は、放送局３００から放送されるものに限らず、放送番組を配信するコンテンツサーバから通信により取得しても良いし、テレビ受信機に接続された録画装置などから取得しても良い。
【００８４】
尚、電子番組表情報生成サーバ１００に記憶部を設け、テレビ受信機２００から受信した位置情報に対応する電子番組表情報を記憶するように構成しても良い。その場合は、以降に受信する位置情報が、それまでに受信したことのある位置情報であれば、電子番組表情報生成部４の処理を経ないで、記憶されている電子番組表情報をテレビ受信機２００に送信することができる。また、予め想定されうる位置情報に対して、電子番組表情報生成部４の処理を予め行い、生成される電子番組表を記憶部に記憶するように構成しても良い。この場合も同様に、テレビ受信機２００から位置情報を取得した際、電子番組表情報生成部４の処理を経ないで、予め記憶されている電子番組表情報をテレビ受信機２００に送信することができる。いずれの場合も、放送番組情報データベース１と地理的名称データベース２のいずれか一方でも更新があった場合は、記憶部に記憶されている情報も更新されるものとする。
【実施例２】
【００８５】
上述した実施の形態の具体的な実施例２を説明する。
【００８６】
図１２は実施例２のブロック図である。
【００８７】
実施例２では、テレビ受信機２００は、放送番組情報データベース１と、地理的名称データベース２と、位置情報取得部３と、電子番組表情報生成部４と、放送番組情報データベース生成部５と、電子番組表情報表示制御部２１０と、表示部２２０とを有する。尚、上述した実施の形態と同様な構成のものについては同じ符号を付した。
【００８８】
ここで、地理的名称データベース２、及び番組情報は、放送局３００からの放送により各テレビ受信機２００が受信することにより、取得される。
【００８９】
次に、テレビ受信機２００の動作を説明する。
【００９０】
テレビ受信機２００の放送番組情報データベース生成部５は、地理的名称データベース２を参照し、番組情報から放送番組情報データベース１を更新又は生成する。尚、図１２の構成とは別に、地理的名称データベース２を放送局３００からではなく通信により受信するように構成しても良い。また、放送番組情報データベース１を、放送番組情報データベース生成部５によりテレビ受信機２００内で生成せず、放送又は通信により取得するようにしても良い。
【００９１】
また、テレビ受信機２００の位置情報取得部３は、基点となる位置情報を取得する。取得する位置情報は、上述したように、郵便番号、緯度経度情報、住所等である。尚、これらの位置情報は、受信機より自動的に取得するようにしても良いし、視聴者がリモコン等によって入力するようにしても良い。
【００９２】
テレビ受信機２００の電子番組表情報生成部４は、地理的名称データベース２を参照し、テレビ受信機２００の位置情報取得部３から受信した位置情報から所定の範囲内にある地理的名称を検索する。そして、電子番組表情報生成部４は、取得した地理的名称を番組情報に含む放送番組を、放送番組情報データベース１から検索する。
【００９３】
次に、電子番組表情報生成部４の放送番組スコア付与部６は、検索された地理的名称を含む放送番組に付与されているスコアに対して、更に、スコアを付与する。
【００９４】
最後に、電子番組表情報生成部４は、選択した放送番組のスコアに応じて、電子番組表における放送番組の表示位置や、放送番組の番組情報の文字の大きさ、フォント、又は表示色等を決定し、電子番組表情報を生成する。
【００９５】
テレビ受信機２００の電子番組表情報表示制御部２１０は、電子番組表情報生成部４から電子番組表情報を受信し、電子番組表情報に基づいて、表示部２２０に電子番組表を表示する。そして、視聴者は、表示された電子番組表から希望する放送番組を選択して、放送局３００からその放送番組を受信して視聴、又は、録画予約を行う。尚、放送番組は、放送局３００から放送されるものに限らず、放送番組を配信するコンテンツサーバから通信により取得しても良いし、テレビ受信機に接続された録画装置などから取得しても良い。
【００９６】
上述の如く、実施の形態及び実施例をあげて本発明を説明したが、本発明は必ずしも上記実施の形態及び実施例に限定されるものではなく、その技術的思想の範囲内において様々に変形し実施してもよい。また、各実施の形態又は実施例を適宜組み合わせて実施してもよい。特に、上述した各実施例は本発明の代表的な一例を示したにすぎず、各部は適時、実施例に示した他の装置に存在していても良い。また、本発明と他の従来技術とを組み合わせて用いても良いこともちろんである。
【符号の説明】
【００９７】
１      放送番組情報データベース
２      地理的名称データベース
３      位置情報取得部
４      電子番組表情報生成部
５      放送番組情報データベース生成部
６      放送番組スコア付与部
１１    番組IDデータベース
１２    地理的名称番組IDデータベース
２１    郵便番号地理的名称データベース
２２    駅地理的名称データベース
２３    ランドマーク地理的名称データベース
１００  電子番組表情報生成サーバ
２００  テレビ受信機
３００  放送局
【図１】
2014098958.tif 000003
【図２】
2014098958.tif 000004
【図３】
2014098958.tif 000005
【図４】
2014098958.tif 000006
【図５】
2014098958.tif 000007
【図６】
2014098958.tif 000008
【図７】
2014098958.tif 000009
【図８】
2014098958.tif 000010
【図９】
2014098958.tif 000011
【図１０】
2014098958.tif 000012
【図１１】
2014098958.tif 000013
【図１２】
2014098958.tif 000014